(57)【要約】【目的】  自動的に所望のテレビ画像をキャプチャーして表示する「テレビ画像自動キャプチャー方法及び装置」を提供することである。【構成】  キャプチャーすべきテレビ画像に応じたキーワードを設定し、テレビ音声に該キーワードが含まれているか判別し、キーワードが含まれている場合にはテレビ音声に応じたテレビ画像をキャプチャーして表示する。【選択図】        図１
2006023345.tif 000002
【特許請求の範囲】
【請求項１】
所望のテレビ画像を自動的にキャプチャーして表示するテレビ画像自動キャプチャー装置において、
キャプチャーすべきテレビ画像に応じたキーワードを設定する手段、
テレビ音声に前記キーワードが含まれているか判別する音声認識手段、
キーワードが含まれているテレビ音声に応じたテレビ画像をキャプチャーして保存するテレビ画像保持手段、
前記保存されているテレビ画像を表示する表示装置、
を備えたことを特徴とするテレビ画像自動キャプチャー装置。
【請求項２】
前記テレビ画像保持手段は、
最新のテレビ画像を所定時間分格納するテレビ画像格納手段、
前記キーワードが検出されたとき、検出時刻より設定時間前の時刻からのテレビ画像をキャプチャー画像として前記テレビ画像格納手段から読み出して保存する手段、
を備えたことを特徴とする請求項1記載のテレビ画像自動キャプチャー装置。
【請求項３】
保存されているキャプチャー画像の一覧表示を要求する手段、
要求によりキャプチャー画像の一覧を表示する手段、
一覧表示より所望のキャプチャー画像を選択して前記表示装置に表示する手段、
を備えたことを特徴とする請求項１または２記載のテレビ画像自動キャプチャー装置。
【請求項４】
所望のテレビ画像を自動的にキャプチャーして表示するテレビ画像自動キャプチャー装置において、
キャプチャーすべきテレビ画像に応じたキーワードを設定する手段、
テレビ音声に前記キーワードが含まれているか判別する音声認識手段、
テレビ音声に前記キーワードが含まれている場合、該テレビ音声に応じたテレビ画像を表示装置に静止表示する手段、
を備えたことを特徴とするテレビ画像自動キャプチャー装置。
【請求項５】
所望のテレビ画像を自動的にキャプチャーして表示するテレビ画像自動キャプチャー方法において、
キャプチャーすべきテレビ画像に応じたキーワードを設定し、
テレビ音声に前記キーワードが含まれているか判別し、
キーワードが含まれているテレビ音声に応じたテレビ画像をキャプチャーして表示する、
ことを特徴とするテレビ画像自動キャプチャー方法。
【請求項６】
保存されているキャプチャー画像の一覧表示を要求し、
要求によりキャプチャー画像の一覧を表示し、
一覧表示より所望のキャプチャー画像を選択して表示する、
ことを特徴とする請求項５記載のテレビ画像自動キャプチャー方法。
【発明の詳細な説明】
【技術分野】
【０００１】
本発明はテレビ画像自動キャプチャー方法及び装置に係わり、特に、所望のテレビ画像を自動的にキャプチャーして表示するテレビ画像自動キャプチャー方法及び装置に関する。
【背景技術】
【０００２】
ディジタル放送では、MPEG-2 TS(MPEG-2トランスポート・ストリーム)形式を論理フォーマットした複数番組のビデオ／オーディオ情報と番組配列情報SI(Service Information)を多重してネットワークを介して家庭に設置されているディジタル放送受信端末に伝送し、加入者は受信端末で多重信号を受信して所望の番組をデコードして楽しむようになっている。すなわち、放送局は番組配列情報SIと複数の番組のビデオストリーム、オーディオストリームをそれぞれMPEG-2TS形式のパケットに変換し、得られたパケットを多重化してMPEG-2 TSトランスポートストリームにして所定のキャリアに載せて送信する。
【０００３】
ディジタル放送受信装置は、受信した番組配列情報SIに基づいて適宜番組案内画面を表示し、ユーザは視聴したい番組を選択する。視聴すべき番組が選択されると、ディジタル放送受信装置は該番組が多重化されているキャリアを選択して復調し、複数のテレビ放送番組のパケットが多重されているMPEG-2 TS(トランスポートストリーム)を得、しかる後、該トランスポートストリームから目的とするテレビ放送番組のビデオパケット、オーディオパケットを抽出し、抽出したビデオパケット、オーディオパケットを復号してビデオ出力、オーディオ出力する。
【０００４】
図７は１つの放送番組のオーディオエレメンタリーストリームAudio ESとビデオエレメンタリーストリームVideo ESをパケット化して多重する場合の説明図であり、(1) はオーディオエレメンタリーストリーム(Audio ES)、(5)はビデオエレメンタリーストリーム(Video ES)、(2) はAudio ESをパケット化して得られるオーディオパケットA1，A2，A3，A4，．．．、(4)はVideo ESをパケット化して得られるビデオパケットV1，V2，．．．V11，..、(3)はビデオパケットとオーディオパケットを時分割多重した多重化ストリーム(MPEG-2 TS)である。１画面当りの情報量はビデオの方がオーディオより多いため、多重化ストリーム(3)は複数のビデオパケットに対して1つのオーディオパケットが多重される構成になり、適宜、パディングパケットが挿入されている。
【０００５】
図８は番組配列情報ＳＩを構成する各種テーブルの名称とそのパケット識別子PIDとテーブルIDの対応表であり、テーブルとして、 (1) PAT(Program Association Table)、 (2) CAT(Conditional Access Table)、(3) PMT(Program Map Table)、(4) NIT(Network Information Table)、(5) SDT(Service Description Table)、 (6) BAT(Bouquet Association Table)、(7) EIT(Event Information Table)、(8) TDT(Time Date Table)、(9) RST(Running Status Table)、(10) ST(Stuffing Table)がある。最初の４つのテーブルPAT, CAT, PMT, NIT は省令で規定されているテーブルでプログラム仕様情報PSI(Program Specific Information)と称されるものである。番組配列情報ＳＩにより、(1)プログラムの名称、放送日時、プログラムの内容の説明など、プログラムに関する情報、(2)現在の日付、時刻、(3)番組の現在の進行状況等が呈示される。
【０００６】
ところで、テレビジョン放送において、ある1画面をキャプチャー(捕捉)したい場合がある。たとえば、アンケートの宛先、クイズの応募宛先、テレビショッピングの宛先、料理番組における材料、イベント会場への行き方などがテレビ画面に表示されるときである。というのは、これらはテレビ画面に文字や地図により表示されるがメモするのに時間的余裕がなかったり、余裕があったとしても面倒となるからである。
このため、第1の従来技術では、ユーザ操作によるトリガーによってテレビ画像をキャプチャー(録画)するか、あるいはパソコンを使用して録画した内容から画面を抜き出して表示している。
第2の従来技術ではテレビ画像のキャプチャーではないが、FM文字多重放送のうち所望の番組を受信して表示する(例えば、特許文献１参照)。この第２従来技術では、受信した文字情報番組データを保存し、該文字情報番組データが別途入力されているキーワードを含めば、該文字情報番組データを表示する。
【特許文献１】特開平１０−１６３９０６号公報
【発明の開示】
【発明が解決しようとする課題】
【０００７】
第１従来技術のユーザ操作によるトリガーによってテレビ画像をキャプチャー(録画)する方法は、ユーザがテレビを見ていなければならない問題がある。また、録画した内容から画面を抜き出して表示する方法では、画像を検索して表示する操作が面倒となる問題がある。
第2の従来技術はFM文字多重放送であるため、キーワードに基づいて所望の文字情報番組データを特定して表示できるが、テレビ画像をキャプチャーするために応用することができない問題がある。
以上から本発明の目的は、自動的に所望のテレビ画像をキャプチャーして表示できるようにすることである。
本発明の目的は、簡単な操作でキャプチャーした所望のテレビ画像を表示できるようにすることである。
【課題を解決するための手段】
【０００８】
上記課題は本発明によれば、所望のテレビ画像を自動的にキャプチャーして表示するテレビ画像自動キャプチャー装置において、キャプチャーすべきテレビ画像に応じたキーワードを設定する手段、テレビ音声に前記キーワードが含まれているか判別する音声認識手段、キーワードが含まれているテレビ音声に応じたテレビ画像をキャプチャーして保存するテレビ画像保持手段、前記保存されているテレビ画像を表示する表示装置を備えたテレビ画像自動キャプチャー装置により達成される。このテレビ画像自動キャプチャー装置において、前記テレビ画像保持手段は、最新のテレビ画像を所定時間分格納するテレビ画像格納手段、前記キーワードが検出されたとき、検出時刻より設定時間前の時刻からのテレビ画像をキャプチャー画像として前記テレビ画像格納手段から読み出して保存する手段、を備えている。また、上記テレビ画像自動キャプチャー装置は、更に、保存されているキャプチャー画像の一覧表示を要求する手段、要求によりキャプチャー画像の一覧を表示する手段、一覧表示より所望のキャプチャー画像を選択して前記表示装置に表示する手段を備えている。
【０００９】
上記課題は本発明によれば、所望のテレビ画像を自動的にキャプチャーして表示するテレビ画像自動キャプチャー装置において、キャプチャーすべきテレビ画像に応じたキーワードを設定する手段、テレビ音声に前記キーワードが含まれているか判別する音声認識手段、テレビ音声に前記キーワードが含まれている場合、該テレビ音声に応じたテレビ画像を表示装置に静止表示する手段を備えたテレビ画像自動キャプチャー装置により達成される。
【００１０】
上記課題は本発明によれば、所望のテレビ画像を自動的にキャプチャーして表示するテレビ画像自動キャプチャー方法において、キャプチャーすべきテレビ画像に応じたキーワードを設定するステップ、テレビ音声に前記キーワードが含まれているか判別するステップ、キーワードが含まれているテレビ音声に応じたテレビ画像をキャプチャーして表示するステップを有するテレビ画像自動キャプチャー方法により達成される。このテレビ画像自動キャプチャー方法は、更に、保存されているキャプチャー画像の一覧表示を要求するステップ、要求によりキャプチャー画像の一覧を表示するステップ、一覧表示より所望のキャプチャー画像を選択して前記表示装置に表示するステップを有している。
【発明の効果】
【００１１】
本発明によれば、キャプチャーすべきテレビ画像に応じたキーワードを設定し、テレビ音声に前記キーワードが含まれているか判別し、キーワードが含まれているテレビ音声に応じたテレビ画像をキャプチャーして表示するようにしたから、自動的に所望のテレビ画像をキャプチャーして表示できる。
また、本発明によれば、キャプチャーすべきテレビ画像に応じたキーワードを設定し、テレビ音声に前記キーワードが含まれているか判別し、テレビ音声に前記キーワードが含まれている場合、該テレビ音声に応じたテレビ画像を表示装置に静止表示するようにしたから、静止画表示により所望のテレビ画像をじっくり見ることができる。
本発明によれば、保存されているキャプチャー画像の一覧表示を要求し、要求によりキャプチャー画像の一覧を表示し、一覧表示より所望のキャプチャー画像を選択して前記表示装置に表示するようにしたから、簡単な操作でキャプチャーした所望のテレビ画像を表示することができる。
【発明を実施するための最良の形態】
【００１２】
図1は本発明の実施形態説明図である。
アンケートの宛先、クイズの応募宛先、テレビショッピングの宛先、料理番組におけるレシピ、イベント会場への行き方などがテレビ画面に表示されるとき、該テレビ画面に応じた案内がアナウンスされる。図１は、たとえばテレビショッピングの宛先をテレビ画面に表示し、「宛先はこちらです。深夜ですのでお間違えのないようにお願いします。」とアナウンスされた場合である。
テレビショッピングの宛先をテレビ画面に表示した時のテレビ音声アナウンスメントの中に「宛先」という言葉が含まれることが多い。又、料理番組におけるレシピをテレビ画面に表示した時のテレビ音声アナウンスメントの中に「材料」、「献立」という言葉が含まれることが多い。又、イベント会場への行き方などをテレビ画面に表示した時のテレビ音声アナウンスメントの中に「行き方」という言葉が含まれることが多い。そこで、これら「宛先」あるいは「材料」あるいは「行き方」という言葉、その他の言葉をキーワードとして登録し、音声認識処理によりキーワードを含むテレビ音声が見つかったとき、該テレビ音声に対応するテレビ画像をキャプチャーして保存して表示するようにする。
【００１３】
そこで、本発明のテレビ画像自動キャプチャー装置は、キャプチャーすべきテレビ画像に応じたキーワードを設定する手段、テレビ音声に前記キーワードが含まれているか判別する音声認識手段、キーワードが含まれているテレビ音声に応じたテレビ画像をキャプチャーして保存するテレビ画像保持手段、前記保存されているテレビ画像を表示する表示装置を備えている。また、このテレビ画像自動キャプチャー装置は、更に、保存されているキャプチャー画像の一覧表示を要求する手段、要求によりキャプチャー画像の一覧を表示する手段、一覧表示より所望のキャプチャー画像を選択して表示装置に表示する手段を備えている。
【実施例１】
【００１４】
図２は本発明のテレビ画像自動キャプチャー機能を備えたディジタルテレビ受信機の構成図である。アンテナ1はディジタル放送信号電波を受信し、フロントエンド部２は、アンテナ1を介して受信した放送信号の中からユーザが選択した所望の受信周波数成分を抽出すると共に、抽出した放送信号に対して周波数変換を施して中間周波数信号を出力する。べースバンド部３は、フロントエンド部２から出力する中間周波信号に対して、直交復調処理、ＦＥＣ（Forward Error Correction）処理を行い、ついで、デインタリーブを解くと共にデスクランブルして元のデータ列に戻し、最後に、誤り検出／訂正処理を行って高能率符号データ（MPEGデータ）を出力する。データ分離部4はべースバンド処理部3から入力する全チャンネルの高能率符号データ（MPEGデータ）から、ユーザが選択したチャンネルのMPEGビデオデータ、MPEGオーディオデータ及び情報データ(番組配列情報SI)を分離し、MPEGビデオデータ、MPEGオーディオデータをそれぞれ音声デコード部５、映像デコード部６に入力し、情報データを、情報データデコード部７を介して制御部(ホストマイクロコンピュータ)８に入力する。音声デコード部５、映像デコード部６は入力されたMPEGオーディオデータ、MPEGビデオデータをそれぞれPCM音声信号、映像信号にデコードし、PCM音声信号をDA変換器９へ入力し、映像信号をビデオプロセッサ１０へ入力する。DA変換器９はPCM音声信号をアナログ音声信号に変換し、オーディオ回路１１を介してスピーカより出力する。ビデオプロセッサ１０は所定のビデオ処理を施してディスプレイ装置１２に入力してテレビ画面に映像を表示する。
【００１５】
バッファ部１３は、オーディオデコード部５および映像デコード部６からそれぞれ出力するテレビ音声データ及び映像データを順次バッファリングし、音声認識制御部１４は、予め登録されているキーワードがテレビ音声に含まれているか周知の音声認識処理を実行して調べ、含まれていれば該テレビ音声に対応するテレビ映像をキャプチャー映像としてメモリ１５に保存する。制御部８は情報データデコード部７より入力する番組配列情報ＳＩを参照してキャプチャーした映像の番組名、放送日時を求め、これらにキーワードとキャプチャ番号を含めて編集情報を作成し、該編集情報ED1，ED2，．．．を図３に示すようにキャプチャー画像CIM1，CIM2，．．．に対応付けてメモリ１５に記憶する。
リモコンなどの操作部１６は選局ボタンや番組選択ボタンなどの他にキーワード設定ボタン１６ａ、キャプチャー一覧呼出ボタン１６ｂ、キャプチャー画像選択ボタン１６ｃを備え、これらボタンを操作してインターフェース部１７を介して制御部８にキーワードの設定、キャプチャー一覧呼出、キャプチャー画像選択等の要求を入力する。キーワードとしては図1で説明したように「宛先」、「材料」、「行き方」という言葉、その他の言葉を、キーワード設定ボタン１６ａを用いて音声認識制御部１４に登録する。
【００１６】
制御部８は上記制御の他、フロントエンド部２による周波数同調制御、データ分離部４に対する受信チャンネルの指示制御、キャプチャー画像検索／表示制御などを行う。ビデオプロセッサ１０は画像処理を行なうと共にキャプチャー画像表示制御を行なう。たとえば操作部１６よりキャプチャー一覧表示が要求されると、メモリ１５にキャプチャーしてあるキャプチャー画像の一覧をキャプチャー番号、キーワード、番組名、放送日時と共に表示し、一覧表示の中から選択されたキャプチャー画像を画面一杯に拡大表示する制御を行なう。また、キーワード、番組名、放送日時の少なくとも一つを使用してキャプチャー画像の検索、ソートを行い、要求されたキャプチャー画像を検索表示する。
【００１７】
図４は所望のテレビ画像を自動的にキャプチャーして表示するテレビ画像自動キャプチャー処理のフローである。
予めキャプチャーすべきテレビ画像が表示された時にテレビ音声に含まれる言葉を推定し、該言葉をキーワードとしてキーワード設定ボタン１６ａを操作して音声認識制御部１４に登録する(ステップ１０１)。キーワードは、キャプチャーしたいテレビ画像に応じて複数語を登録することができる。又、２以上のキーワードをキャプチャーしたい１つのテレビ画像に応じて登録し、該2以上のキーワードが含まれているテレビ音声に応じたテレビ画像をキャプチャーするように構成することもできる。
バッファ部１３は音声デコード部５、映像デコード部６から出力されるテレビ音声、テレビ画像を順次一時的に保存し(ステップ１０２)、音声認識制御部１４はテレビ音声を認識し(ステップ１０３)、テレビ音声に前記登録されているキーワードが含まれているか識別し(ステップ１０４)、キーワードが含まれていない場合には、ステップ１０２以降の処理を繰返す。一方、キーワードが含まれている場合には、テレビ音声と対応するテレビ画像をメモリ１５に格納(キャプチャー)し、該キーワードを制御部８に通知する(ステップ１０５)。制御部８は、情報データデコード部７より入力する番組配列情報ＳＩを参照してキャプチャーした映像の番組名、放送日時を求め、これらに認識したキーワードとキャプチャ番号を含め、キャプチャー画像に対応付けてメモリ１５に記憶する(ステップ１０６)。以後、始めに戻って以降の処理を繰返す。これにより、複数のテレビ画像が図３に示すように編集情報（キャプチャ番号、キーワード、番組名、放送日時）に対応つけられて保存される。
また、以下のようにして数秒間の画像をキャプチャー画像としてメモリ１５に格納することができる。すなわち、ステップ１０２においてバッファ部１３は、オーディオデコード部５および映像デコード部６からそれぞれ出力する最新のテレビ音声データ及び映像データを所定時間、例えば３０秒程度保存し、音声認識制御部１４は、ステップ１０４において予め登録されているキーワードがテレビ音声に含まれているか監視する。そして、キーワードが含まれていれば、ステップ１０５において、検出時刻より設定時間前の時刻、例えば数秒前の時刻からのテレビ画像をキャプチャー画像としてバッファ１３から読み出してメモリ１５に保存する。後の制御は図４と同じである。
【００１８】
図５は所望のキャプチャー画像を選択して表示するキャプチャー画像の選択表示フローである。まず、キャプチャー一覧呼出ボタン１６ｂを操作して保存されているキャプチャー画像の一覧表示を要求する(ステップ２０１)。ビデオプロセッサ１０は該要求により、メモリ１５に保存されているキャプチャー画像の一覧をキャプチャー番号、キーワード、番組名、放送日時と共に表示する(ステップ２０２)。なお、１画面で表示しきれない場合にはページめくりにより表示する。また、受信中のテレビ画像を表示している場合は切り替えてキャプチャー画像の一覧を表示する。
ついで、キャプチャー画像選択ボタン１６ｃにより一覧表示の中から所望のキャプチャー画像を選択する(ステップ２０３)。これにより、ビデオプロセッサ１０は選択されたキャプチャー画像をディスプレイ装置１２の画面に一杯に拡大表示し(ステップ２０４)、以後、キャプチャー画像表示終了操作がなされるまで該キャプチャー画像の表示を継続する(ステップ２０５)。
【００１９】
以上の処理ではキャプチャー画像を自動的に保存した後で所望のキャプチャー画像を選択表示する場合であるが、テレビ画像をキャプチャーした時、該キャプチャー画像を直ちに静止表示するように構成することもできる。図６はかかるキャプチャー画像の静止表示の処理フローであり、ステップ１０１〜１０４までの処理は図４と同じである。
ステップ１０４において、テレビ音声にキーワードが含まれていれば、音声認識制御部１４はその時のテレビ画像をキャプチャー画像としてメモリ１５に保存し、ビデオプロセッサ１０は受信中テレビ画像に代えてメモリ１５に保存したキャプチャー画像の静止画表示に切り替える(ステップ３０１)。以後、静止画表示の解除操作がなされるまでキャプチャー画像の表示を継続する(ステップ３０２)。
以上本発明によれば、自動的に所望のテレビ画像をキャプチャーして表示することができる。
また、本発明によれば、自動的に所望のテレビ画像をキャプチャーして静止表示することにより、所望のテレビ画像をじっくり見ることができる。
また、本発明によれば、簡単な操作でキャプチャーした所望のテレビ画像を選択表示することができる。
なお、実施例は本発明をディジタルＴＶ放送に適用した場合について説明したが、アナログＴＶ放送にも適用できることは勿論である。
【図面の簡単な説明】
【００２０】
【図１】本発明の実施形態説明図である。
【図２】本発明のテレビ画像の自動キャプチャー機能を備えたディジタルテレビ受信機の構成図である。
【図３】キャプチャー画像の記憶例である。
【図４】所望のテレビ画像を自動的にキャプチャーして保存するテレビ画像自動キャプチャー処理のフローである。
【図５】所望のキャプチャー画像を選択して表示するキャプチャー画像の選択表示フローである。
【図６】キャプチャー画像の静止表示処理フローである。
【図７】１つの放送番組のオーディオエレメンタリーストリームAudio ESとビデオエレメンタリーストリームVideo ESをパケット化して多重する場合の説明図である。
【図８】番組配列情報ＳＩの説明図である。
【符号の説明】
【００２１】
２  フロントエンド部
３  べースバンド部
４  データ分離部
５  音声デコード部
６  映像デコード部
７  情報データデコード部
８  制御部(ホストマイクロコンピュータ)
１０  ビデオプロセッサ
１２  ディスプレイ装置
１３  バッファ部
１４  音声認識制御部
１５  メモリ
１６ａ  キーワード設定ボタン
１６ｂ  キャプチャー一覧呼出ボタン
１６ｃ  キャプチャー画像選択ボタン
【図１】
2006023345.tif 000003
【図２】
2006023345.tif 000004
【図３】
2006023345.tif 000005
【図４】
2006023345.tif 000006
【図５】
2006023345.tif 000007
【図６】
2006023345.tif 000008
【図７】
2006023345.tif 000009
【図８】
2006023345.tif 000010